(57)【要約】      （修正有）【課題】猫などの小動物が室内で木登り遊びができる動物用木登り玩具を提供する。【解決手段】動物用木登り玩具１は、床に設置される方形箱型の基台２と、基台２から鉛直に立設された支柱３と、支柱３の高さ方向の途中箇所に固定された棚板４、５、６と、支柱３の上端に高さ調節自在に設けられた天井押さえ板７と、を含む。支柱３は、上下に連結可能な複数の支柱部材８、９、１０、１１を含み、棚板４、５、６は、小動物が座るか、または寝そべることのできる広さを有し、上下に連結される支柱部材８、９、１０、１１の各間に挟持されるようにした。支柱３の外周面にはロープ１４が巻装してある。【選択図】図１
0003234699.tif 000002
【実用新案登録請求の範囲】
【請求項１】
床に設置される基台と、
基台から鉛直に立設された支柱と、
支柱の高さ方向の途中箇所に固定された１または複数の棚板と、
支柱の上端に高さ調節自在に設けられた天井押さえ板と、
を含み、
支柱は、上下に連結可能な複数の支柱部材を含み、
棚板は、小動物が座るか、または寝そべることのできる広さを有し、上下に連結される支柱部材の間に挟持されるようにしたこと、
を特徴とする動物用木登り玩具。
【請求項２】
棚板は、支柱の軸周りに回転自在としたこと、
を特徴とする請求項１記載の動物用木登り玩具。
【請求項３】
支柱の外周面が巻装したロープで覆われていること、
を特徴とする請求項１または２記載の動物用木登り玩具。
【考案の詳細な説明】
【技術分野】
【０００１】
本考案は動物用木登り玩具に係り、とくに猫などの小動物が室内で木登り遊びができる動物用木登り玩具に関する。
【背景技術】
【０００２】
室内で飼っている猫などの動物は、運動不足になりがちである。
【考案の概要】
【考案が解決しようとする課題】
【０００３】
本考案は上記した問題に鑑みなされたもので、猫などの小動物が室内で木登り遊びができる動物用木登り玩具を提供することを、その目的とする。
【課題を解決するための手段】
【０００４】
請求項１記載の考案は、
床に設置される基台と、
基台から鉛直に立設された支柱と、
支柱の高さ方向の途中箇所に固定された１または複数の棚板と、
支柱の上端に高さ調節自在に設けられた天井押さえ板と、
を含み、
支柱は、上下に連結可能な複数の支柱部材を含み、
棚板は、小動物が座るか、または寝そべることのできる広さを有し、上下に連結される支柱部材の間に挟持されるようにしたこと、
を特徴としている。
請求項２記載の考案は、
棚板は、支柱の軸周りに回転自在としたこと、
を特徴としている。
請求項３記載の考案では、
支柱の外周面が巻装したロープで覆われていること、
を特徴としている。
【考案の効果】
【０００５】
本考案によれば、猫などの小動物が室内で木登り遊びを行うことができ、運動不足解消を図ることができる。
また、複数の支柱部材を上下に連結して支柱とするので、収納・運搬時にスペースを必要としない。
また他の考案によれば、棚板を支柱の軸周りに回転させて棚板に変化を持たせ、飽きが来ないようにできる。
また他の考案によれば、支柱の外周面がロープで覆われているので、登り易くすなる。
【図面の簡単な説明】
【０００６】
【図１】図１は本考案の一実施例に係る動物用木登り玩具の外観斜視図である（実施例１）。
【図２】図２（１）は図１中の支柱を構成する支柱部材の組み立て図、（２）は組み立て後の支柱部材の外観斜視図である。
【図３】図３は図１の動物用木登り玩具の組み立て方法の説明図である。
【図４】図４は図１の動物用木登り玩具の組み立て方法の説明図である。
【図５】図５は図１の動物用木登り玩具の組み立て方法の説明図である。
【図６】図６は図１の動物用木登り玩具の組み立て方法の説明図である。
【考案を実施するための最良の形態】
【０００７】
以下、本考案の最良の形態を実施例に基づき説明する。
【実施例１】
【０００８】
図１と図２を参照して本考案の一実施例に係る動物用木登り玩具を説明する。図１は本考案の一実施例に係る動物用木登り玩具の外観斜視図、図２（１）は図１中の支柱を構成する支柱部材の組み立て図、（２）は組み立て後の支柱部材の外観斜視図である。
図１において、１は猫、子犬などの小動物が室内で木登り遊びができる動物用木登り玩具であり、この内、２は床に設置される木製で方形箱形の基台、３は基台２から天井近くまで鉛直に立設された支柱、４、５、６は支柱３の高さ方向の途中の複数箇所に上下に間隔を空けて固定された３つの木製で略扇形の棚板、７は支柱３の上端に高さ調節自在に設けられた木製の天井押さえ板である。
【０００９】
支柱３は、４つの支柱部材８、９、１０、１１（図２（２）参照）を上下に連結することにより構成されている。棚板４、５、６は、小動物が座るか、または寝そべることのできる広さを有し、上下に連結される支柱部材８と９、９と１０、 1０と１１の間に挟持されることにより、上下方向に移動不能に固定されている。
【００１０】
図２（１）に示す如く、支柱部材８、９、１０、１１は硬質紙製の筒体１２と、筒体１２の上端部及び下端部の開口に嵌着された硬質プラスチック製で円盤形のキャップ１３と、筒体１２の外周面を覆うように巻装されたロープ１４とを含み、キャップ１３の中心にはボルト孔１５が形成されており、上端側のキャップ１３の下面と下端側のキャップ１３の上面側に、ボルト孔１５と軸を一致させた雌ネジ金具１６が固着されている。
【００１１】
なお、一番上の支持部材１１の上端には、木製の第２のキャップ１７が嵌着されている。この第２のキャップ１７の中央にボルト孔１８が形成されている（図６（２）参照）。また、基台２の中央にもボルト孔１９が形成されている。
また天井押さえ板７の下面中央には雌ネジ金具２０が固着されている。
【００１２】
棚板４、５、６の内、狭い方の端部寄りにボルト孔２１が形成されている。棚板４、５、６の広く開いた面上と、天井押さえ板７の面上に円形のマット２２が貼着されている。
【００１３】
次に、図３乃至図６を参照して上記した動物用木登り玩具の組み立て方法を説明する。
なお、組み立ては、床に横に寝かせた姿勢で行い、組み立て後、床と天井の間に立設し、天井押さえ板７の高さを調節して天井に押接させることで、安定させるようにする。
まず、基台２の中央に形成されたボルト孔１９に下方から挿通した長ボルト２３を支柱部材８の下端のキャップ１３のボルト孔１５を通して雌ねじ金具１６に螺合することで、基台２に支柱部材８を垂設する。また、支柱部材８の上端のキャップ１３のボルト孔１５を通して棒状の長ボルト２４の下半分近くを雌ネジ金具１６に螺合する（図３（１）、（２）参照）。
【００１４】
次に、棚板４のボルト孔２１を長ボルト２４に通しながら、棚板４の下面を支柱部材８の上端に載せる。そして、支柱部材９の下端のキャップ１３のボルト孔１５を通して長ボルト２４の上半分近くを雌ネジ金具１６に螺合し（図４（１）、（２）参照）、支柱部材９と８を上下に連結するとともに、間に棚板４を挟持させる。棚板４は上下移動はできないが、支柱部材８、９の軸周りに回転させることができる（図５参照）。
【００１５】
同様にして支柱部材９の上に１０を連結し、支柱部材９と１０の間に棚板５を挟持させ、支柱部材１０の上に１１を連結し、支柱部材１０と１１の間に棚板６を挟持させる。棚板５も上下移動はできないが、支柱部材９、１０の軸周りに回転させることができ、棚板６も上下移動はできないが、支柱部材１０、１１の軸周りに回転させることができる（図１参照）。
【００１６】
最後に、支柱部材１１の上端に木製の第２のキャップ１７を嵌着し、第２のキャップ１７のボルト孔１８とキャップ１３のボルト孔１５を通して棒状の長ボルト２５の下部を雌ネジ金具１６に螺合する（図６（１）参照）。外側に露出した長ボルト２５に２組のダブルナット2 ６、２７を螺合したあと、長ボルト２５の上端部を天井押さえ板７に固着した雌ネジ金具２０を螺合する（図６（２）参照）。天井押さえ板７寄りのダブルナット２６を回して雌ネジ金具２０に押し付け、緩み止めをし、長ボルト２５と天井押さえ板７を一体とする。最初、長ボルト２５の外側露出部分は短くし、天井押さえ板４を支柱部材１１の上端に近い位置となるようにしておく。
【００１７】
組み立て後、動物用木登り玩具１を床と天井の間に鉛直に立設し、天井押さえ板４を長ボルト２５とともに回転して高さを調節し、天井に押接した状態となったところで、ダブルナット２７を回して支柱部材１１の上端の第２のキャップ１７に押し付けて、緩み止めをし、姿勢を安定させる。
棚板４、５、６は支柱１の軸周りに回転させて任意の配置とすることにより、動物が飽きないようにできる。
【００１８】
この実施例の動物用木登り玩具１によれば、猫や子犬などの小動物が室内で木登り遊びを行うことができ、運動不足解消を図ることができる。
また、複数の支柱部材８、９、１０、１１を上下に連結して一本の支柱３とするので、収納・運搬時にスペースを必要としない。
また支柱３の外周面を、ロープ１４を巻装して覆ったことにより、猫や子犬などの小動物が登り易くすることができる。
【産業上の利用可能性】
【００１９】
本考案は、室内で小動物が遊ぶ木登り玩具に適用可能である。
【符号の説明】
【００２０】
１  動物用木登り玩具
２  基台
３  支柱
４、５、６  棚板
７  天井押さえ板
８、９、１０、１１  支柱部材
１４  ロープ
【図１】
0003234699.tif 000003
【図２】
0003234699.tif 000004
【図３】
0003234699.tif 000005
【図４】
0003234699.tif 000006
【図５】
0003234699.tif 000007
【図６】
0003234699.tif 000008